(57)【特許請求の範囲】
【請求項１】
相手側コネクタと接続されるコンタクトと、該コンタクトに繋がり該コンタクトの導出方向と略直角な方向に導出され、プリント配線基板からなる実装部材に実装するための端子ピンを底面に有するコネクタ本体の周囲に外部シールドを備えてなるシールドコネクタの実装構造において、該外部シールドは、該コネクタ本体の長手方向の全幅にわたり該コネクタ本体の上面および該底面側に略直角に折り曲げられた折曲部を有する断面コ字状であり、該底面側の該折曲部から更に延在し該実装部材と該外部シールドとの間を直接接続する接地接続部を設け、該底面側の該折曲部および接地接続部は、該コネクタ本体の底面に設けた凹部に面一に沈められ、該端子ピンは該実装部材のスルーホールに挿入され、かつ該接地接続部は該実装部材上に形成された接地パッドの表面上に直接当接してはんだ付けされることを特徴とするシールドコネクタの実装構造。
【発明の詳細な説明】
【０００１】
【発明の属する技術分野】
本発明は、外部シールドを有するシールドコネクタに係り、とくに外部シールドの接地接続構造に関する。
【０００２】
電気信号などを接続するシールドコネクタは、外部からの電磁気ノイズや静電気ノイズを遮蔽する金属製の外部シールドを備え、それをプリント配線基板などの実装部材に対しグランド接地して用いられる。しかし、その接地接続構造の電気的経路が多くの接点を経由していると、接地が不安定になりインピーダンスが増加し易いため、外部シールドの接地を安定強化することが要望されている。
【０００３】
【従来の技術】
図４の斜視図に示すように、従来のシールドコネクタ１は、コンタクト収納部１ａ−１内に設けられたメスコンタクト１ｂと、これに繋がる端子ピン１ｃ（この図４は、相手プラグコネクタの挿抜方向に対し直角方向に突出している）とを有した絶縁体でなるコネクタ本体１ａの周囲を金属シェルからなる外部シールド１ｄで覆い、その長手方向両端には取付ねじを挿通する取付孔１ａ−１ａと仮止めに用いる貫通孔１ａ−１ｂを有した直角Ｌ形の取付部１ａ−２と、取付孔１ａ−１ａに挿通した取付ねじ４（図５参照）を受けるねじ孔１ｅ−１（図５参照）と実装時の仮止めに用いる突起１ｅ−２とを有した仮止め金具１ｅとを備えている。なお、この突起１ｅ−２は、先端の幅をすぼめられるように割り１ｅ−２ａを入れて矢形に形成し、相手に係止するようになっている。
【０００４】
このシールドコネクタを例えば、金属キャビネットに実装する場合、図６の断面図に示すように、端子ピン１ｃを実装部材２、例えばプリント基板の信号あるいは電源接続用のスルーホール２ａに挿入するとともに、仮止め金具１ｅの突起１ｅ−２を貫通孔１ａ−１ｂに挿通し、さらに図示しない接地パターンに接続された接地スルーホール２ｂ−１に挿入し、それぞれをはんだ付け接続する。
【０００５】
そうして、シールドコネクタ１を実装したプリント基板２を金属キャビネット３に取り付けるとともに、コネクタ本体１ａの受け側を金属キャビネット３のパネル３ａに開けられた角孔３ａ−１に裏側から挿入し、金属シェル１ｄの取付面をプリント基板２の裏面に当てて取付ねじ４で仮止め金具１ｅのねじ孔１ｅ−１にねじ締め固定している。
【０００６】
この接地接続構造の接地経路は、金属シェル１ｄからパネル３ａ、取付ねじ４、仮止め金具１ｅ、接地スルーホール２ｂ−１の順になっている。
【０００７】
【発明が解決しようとする課題】
しかしながら、このような上記従来のシールドコネクタを用いたグランド接地経路によれば、多くの接点を経由しているため、電気的な接続が不安定になり易く、長期間にわたって確実な接地ができないといった問題があった。
【０００８】
上記問題点に鑑み、本発明は外部シールドの一部を実装部材に直接接地し、接地を安定強化し、かつインピーダンスの低減を実現できるシールドコネクタを提供することを目的とする。
【０００９】
【課題を解決するための手段】
上記目的を達成するために、本発明のシールドコネクタの実装構造においては、相手側コネクタと接続されるコンタクトと、該コンタクトに繋がり該コンタクトの導出方向と略直角な方向に導出され、プリント配線基板からなる実装部材に実装するための端子ピンを底面に有するコネクタ本体の周囲に外部シールドを備えてなるシールドコネクタの実装構造において、該外部シールドは、該コネクタ本体の長手方向の全幅にわたり該コネクタ本体の上面および該底面側に略直角に折り曲げられた折曲部を有する断面コ字状であり、該底面側の該折曲部から更に延在し該実装部材と該外部シールドとの間を直接接続する接地接続部を設け、該底面側の該折曲部および接地接続部は、該コネクタ本体の底面に設けた凹部に面一に沈められ、該端子ピンは該実装部材のスルーホールに挿入され、かつ該接地接続部は該実装部材上に形成された接地パッドの表面上に直接当接してはんだ付けされる。
【００１０】
このように構成することにより、シールドコネクタを例えば、プリント配線基板のような実装部材に実装するとき、外部シールドの接地接続部をプリント配線基板の接地パッドに直接当接してはんだ付けできるため、良好な電気的接続ができて外部シールドの接地を長期間にわたって安定強化することができる。
【００１１】
【発明の実施の形態】
以下、図面に示した実施例に基づいて本発明の要旨を説明する。なお、従来図において説明した要素は同一符号を用い、その説明も省略する。
【００１２】
図１のシールドコネクタの要部斜視図（半分を図示し、残りは対称に構成される）に示すように、本発明のシールドコネクタ１１は、従来と同一符号の要素は同じであるが、コネクタ本体１１ａを覆う外部シールド１１ｄが従来と異なる。
【００１３】
この外部シールド１１ｄは、図２の単体斜視図に示すように、良導体板金をプレス加工して金属シェル状に製作する。即ち、良導体板金の中央部分をコネクタ本体１１ａのコンタクト収納部１１ａ−１の外周を覆うように枠形に絞り出し、その長手方向に沿う両耳端は溝形に折り曲げ、コネクタ本体１１ａの取付孔１ａ−１ａ（図３参照）に対応して連通する、取り付けのための貫通孔１１ｄ−２を備える。また更に、溝形に折り曲げた一方の折曲部１１ｄ−１の両側の一部を取付部１１ａ−２の貫通孔１ａ−１ｂの近傍まで（図３参照）延出して形成した接地接続部１１ｄ−１ａを備える。
【００１４】
この接地接続部１１ｄ−１ａは、従来の図５に示したように、接地スルーホール２ｂ−１に仮止め金具１ｅの突起１ｅ−２を挿入して接地接続していたのを、本実施例では図３の断面図に示すように、プリント配線基板からなる実装部材２の接地パッド２ｂの表面に直接当接するように、コネクタ取付面と面一にするため凹み１１ａ−３（図１参照）に沈め、かつ接地パッド２ｂに直接はんだ付けできる形状に形成する。なお、この外部シールド１１ｄは、単体で製作された後、コネクタ成形時にインサートモールドするか、もしくは実装時にコネクタ本体１１ａのコンタクト収納部１１ａ−１の外周に被せて実装される。
【００１５】
このシールドコネクタを従来同様に例えば、金属キャビネットに実装する場合、図３に示すように、端子ピン１ｃを実装部材２のスルーホール２ａに挿入するとともに、仮止め金具１ｅの突起１ｅ−２を貫通孔１ａ−１ｂに挿通し、さらに接地パッド２ｂの接地スルーホール２ｂ−１に挿入し、それぞれをはんだ付け接続する。そのとき、図示しない溶融はんだは、接地スルーホール２ｂ−１を通って接地パッド２ｂに当接した接地接続部１１ｄ−１ａに達し、同時にはんだ付けされる。
【００１６】
そうして、プリント配線基板２を金属キャビネット３に取り付けるとともに、コネクタ本体１１ａを金属キャビネット３のパネル３ａに開けられた角孔３ａ−１に裏側から挿入し、取付ねじ４で仮止め金具１ｅのねじ孔１ｅ−１にねじ締めする。
【００１７】
このように、本発明のシールドコネクタは、金属シェルからなる外部シールドの一部を実装部材の接地パッドに直接当接するように延出形成した接地接続部を備えたことにより、このシールドコネクタを実装部材に実装した場合の接地経路は外部シールドと接地パッドとの接合だけの１接点となるため、従来接地構造に比べて接地経路がインピーダンスの小さな電気的接続が可能になり、外部シールドの接地を長期間にわたって安定強化することができる。
【００２０】
【発明の効果】
以上、詳述したように本発明によれば、外部シールドの接地を長期間にわたって安定強化し、かつインピーダンスを低減できるため、シールドコネクタの電磁気ノイズ及び静電気ノイズのシールドに対する信頼性を格段に向上できるといった産業上極めて有用な効果を発揮する。
【図面の簡単な説明】
【図１】  本発明による一実施例のシールドコネクタの要部斜視図
【図２】  図１の外部シールドの単体斜視図
【図３】  図１の実装状態を示す取付部の断面図
【図４】  従来技術によるシールドコネクタの斜視図
【図５】  図４の実装状態を示す取付部の断面図
【符号の説明】
２：実装部材（プリント配線基板）
２ｂ：接地パッド
１１：シールドコネクタ
１１ａ：コネクタ本体
１１ｄ：外部シールド
１１ｄ−１ａ：接地接続部
【図１】
0003668584.tif 000002
【図２】
0003668584.tif 000003
【図３】
0003668584.tif 000004
【図４】
0003668584.tif 000005
【図５】
0003668584.tif 000006